(57)【要約】【課題】広範囲の波長の光の共振状態を制御することが可能な発光装置を提供する。【解決手段】  第１反射面と、前記第１反射面に対向する第２反射面と、前記第１反射面と前記第２反射面との間に設けられ、波長λの光を出射する発光層と、前記第２反射面に対向するとともに、前記第２反射面との距離がλ/4以内の位置に配置された第３反射面とを備えた発光装置。【選択図】図２Ａ
2019079624.tif 000002
【特許請求の範囲】
【請求項１】
第１反射面と、
前記第１反射面に対向する第２反射面と、
前記第１反射面と前記第２反射面との間に設けられ、波長λの光を出射する発光層と、
前記第２反射面に対向するとともに、前記第２反射面との距離がλ/4以内の位置に配置された第３反射面と
を備えた発光装置。
【請求項２】
更に、異なる屈折率を有するとともに、互いに積層された低屈折率層および高屈折率層を有し、
前記第３反射面は、前記低屈折率層および前記高屈折率層の界面である
請求項１に記載の発光装置。
【請求項３】
前記発光層は、
第１発光層と、
前記第１発光層と異なる領域に設けられた第２発光層とを含み、
前記第１反射面と前記第１発光層の発光中心との光学距離をＬ１１、前記第１反射面と前記第２発光層の発光中心との光学距離をＬ２１、前記第２反射面と前記第１発光層の発光中心との光学距離をＬ１２、前記第２反射面と前記第２発光層の発光中心との光学距離をＬ２２、前記第１発光層の発光スペクトルの中心波長をλ１、前記第２発光層の発光スペクトルの中心波長をλ２としたとき、Ｌ１１、Ｌ２１、Ｌ１２およびＬ２２は以下の式（１）〜（８）を満たす
請求項１に記載の発光装置。
２Ｌ１１／λ１１+ａ１／（２π）＝ｍ１（ただし、ｍ１≧０）・・・・・（１）
λ１−１５０＜λ１１＜λ１＋８０・・・・・（２）
２Ｌ２１／λ２１+ｃ１／（２π）＝ｎ１（ただし、ｎ１≧０）・・・・・（３）
λ２−１５０＜λ２１＜λ２＋８０・・・・・（４）
２Ｌ１２／λ１２+ａ２／（２π）＝ｍ２・・・・・（５）
λ１−８０＜λ１２＜λ１＋８０・・・・・（６）
２Ｌ２２／λ２２+ｃ２／（２π）＝ｎ２・・・・・（７）
λ２−８０＜λ２２＜λ２＋８０・・・・・（８）
ただし、ｍ１、ｎ１、ｍ２、ｎ２：整数
λ１、λ２、λ１１、λ２１、λ１２およびλ２２の単位：ｎｍ
ａ１：第１発光層から出射された各波長の光が第１反射面で反射する際の位相変化
ｃ１：第２発光層から出射された各波長の光が第１反射面で反射する際の位相変化
ａ２：第１発光層から出射された各波長の光が第２反射面で反射する際の位相変化
ｃ２：第２発光層から出射された各波長の光が第２反射面で反射する際の位相変化
【請求項４】
前記第３反射面と前記第１発光層の発光中心との光学距離をＬ１３、前記第３反射面と前記第２発光層の発光中心との光学距離をＬ２３としたとき、Ｌ１３およびＬ２３は以下の式（９）〜（１２）を満たす
請求項３に記載の発光装置。
２Ｌ１３／λ１３+ａ３／（２π）＝ｍ３＋１／２・・・・・（９）
λ１−１５０＜λ１３＜λ１＋１５０・・・・・（１０）
２Ｌ２３／λ２３+ｃ３／（２π）＝ｎ３＋１／２・・・・・（１１）
λ２−１５０＜λ２３＜λ２＋１５０・・・・・（１２）
ただし、ｍ３、ｎ３：整数
λ１、λ２、λ１３およびλ２３の単位：ｎｍ
ａ３：第１発光層から出射された各波長の光が第３反射面で反射する際の位相変化
ｃ３：第２発光層から出射された各波長の光が第３反射面で反射する際の位相変化
【請求項５】
前記第３反射面と前記第１発光層の発光中心との光学距離をＬ１３、前記第３反射面と前記第２発光層の発光中心との光学距離をＬ２３としたとき、Ｌ１３およびＬ２３は以下の式（１３）〜（１６）を満たす
請求項３に記載の発光装置。
２Ｌ１３／λ１３+ａ３／（２π）＝ｍ３・・・・・（１３）
λ１−１５０＜λ１３＜λ１＋１５０・・・・・（１４）
２Ｌ２３／λ２３+ｃ３／（２π）＝ｎ３・・・・・（１５）
λ２−１５０＜λ２３＜λ２＋１５０・・・・・（１６）
ただし、ｍ３、ｎ３：整数
λ１、λ２、λ１３およびλ２３の単位：ｎｍ
ａ３：第１発光層から出射された各波長の光が第３反射面で反射する際の位相変化
ｃ３：第２発光層から出射された各波長の光が第３反射面で反射する際の位相変化
【請求項６】
更に、前記第１反射面と前記発光層との間に設けられた第１電極と、
前記発光層を間にして前記第１電極に対向する第２電極とを有する
請求項１に記載の発光装置。
【請求項７】
更に、基板を含み、
前記基板に近い位置から順に、前記第１電極と、前記発光層と、前記第２電極とが設けられている
請求項６に記載の発光装置。
【請求項８】
更に、基板を含み、
前記基板に近い位置から順に、前記第２電極と、前記発光層と、前記第１電極とが設けられている
請求項６に記載の発光装置。
【請求項９】
更に、前記発光層を含む有機層を有する
請求項１に記載の発光装置。
【請求項１０】
前記発光層は印刷層である
請求項９に記載の発光装置。
【請求項１１】
更に、前記有機層と前記第２反射面との間に設けられ、金属酸化物を含む高抵抗層を有し、
前記第３反射面は、前記有機層と前記高抵抗層との界面である
請求項９に記載の発光装置。
【請求項１２】
更に、前記第２反射面を間にして前記発光層に対向する第４反射面と、
前記第４反射面を間にして前記第２反射面に対向する第５反射面とを有する
請求項３に記載の発光装置。
【請求項１３】
前記第４反射面と前記第１発光層の発光中心との光学距離をＬ１４、前記第５反射面と前記第１発光層の発光中心との光学距離をＬ１５としたとき、Ｌ１４およびＬ１５は以下の式（１７）〜（２０）を満たす
請求項１２に記載の発光装置。
２Ｌ１４／λ１４+ａ４／（２π）＝ｍ４＋１/２・・・・・（１７）
２Ｌ１５／λ１５+ａ５／（２π）＝ｍ５＋１/２・・・・・（１８）
λ１−１５０＜λ１４＜λ１＋１５０・・・・・（１９）
λ１−１５０＜λ１５＜λ１＋１５０・・・・・（２０）
ただし、ｍ４、ｍ５：整数
λ１、λ１４およびλ１５の単位：ｎｍ
ａ４：第１発光層から出射された各波長の光が第４反射面で反射する際の位相変化
ａ５：第１発光層から出射された各波長の光が第５反射面で反射する際の位相変化
【請求項１４】
前記第４反射面と前記第２発光層の発光中心との光学距離をＬ２４、前記第５反射面と前記第２発光層の発光中心との光学距離をＬ２５としたとき、Ｌ２４およびＬ２５は以下の式（２１）〜（２４）を満たす
請求項１２に記載の発光装置。
２Ｌ２４／λ２４+ｃ４／（２π）＝ｎ４・・・・・（２１）
２Ｌ２５／λ２５+ｃ５／（２π）＝ｎ５・・・・・（２２）
λ２−１５０＜λ２４＜λ２＋１５０・・・・・（２３）
λ２−１５０＜λ２５＜λ２＋１５０・・・・・（２４）
ただし、ｎ４、ｎ５：整数
λ２、λ２４およびλ２５の単位：ｎｍ
ｃ４：第２発光層から出射された各波長の光が第４反射面で反射する際の位相変化
ｃ５：第２発光層から出射された各波長の光が第５反射面で反射する際の位相変化
【請求項１５】
更に、前記第２反射面と前記第４反射面との間、前記第４反射面と前記第５反射面との間および、前記第５反射面を間にして前記第４反射面に対向する位置の少なくともいずれか１つに第６反射面を有する
請求項１２に記載の発光装置。
【発明の詳細な説明】
【技術分野】
【０００１】
本開示は、有機エレクトロルミネッセンス（ＥＬ；Electro Luminescence）現象により発光する有機電界発光素子などを用いた発光装置に関する。
【背景技術】
【０００２】
近年、有機ＥＬ素子を用いた発光装置の構造について、多数の提案がなされている（例えば特許文献１〜４）。発光層を間にして対向する２つの電極間での光の多重反射により、光の共振が生じる。有機ＥＬ素子を用いた発光装置では、この共振器構造が利用されている。
【先行技術文献】
【特許文献】
【０００３】
【特許文献１】国際公開ＷＯ０１／０３９５５４号パンフレット
【特許文献２】特開２００８−９１３２３号公報
【特許文献３】特開２０１１−１５９４３１号公報
【特許文献４】特開２０１１−１５９４３３号公報
【発明の概要】
【発明が解決しようとする課題】
【０００４】
このような共振器構造を有する発光装置では、広範囲の波長の光の共振状態を制御することが望まれている。
【０００５】
したがって、広範囲の波長の光の共振状態を制御することが可能な発光装置を提供することが望ましい。
【課題を解決するための手段】
【０００６】
本開示の一実施の形態に係る発光装置は、第１反射面と、第１反射面に対向する第２反射面と、第１反射面と第２反射面との間に設けられ、波長λの光を出射する発光層と、第２反射面に対向するとともに、第２反射面との距離がλ/4以内の位置に配置された第３反射面とを備えたものである。
【０００７】
本開示の一実施の形態に係る発光装置では、第２反射面との距離がλ/4以内、即ち、第２反射面近傍に第３反射面が設けられているので、第３反射面での光の反射は、広範囲の波長λで同様の傾向を示す。例えば、赤色光、緑色光および青色光の光が一様に、第３反射面で弱め合うように反射し、あるいは、第３反射面で強め合うように反射する。
【発明の効果】
【０００８】
本開示の一実施の形態に係る発光装置によれば、第２反射面近傍に第３反射面を設けるようにしたので、第３反射面での光の反射を広範囲の波長λにわたって一様に制御することができる。よって、広範囲の波長λの光の共振状態を制御することが可能となる。なお、ここに記載された効果は必ずしも限定されるものではなく、本開示中に記載されたいずれの効果であってもよい。
【図面の簡単な説明】
【０００９】
【図１】本開示の第１の実施の形態に係る発光装置の概略構成を表す断面模式図である。
【図２Ａ】図１に示した赤色有機ＥＬ素子の共振構造を表す断面模式図である。
【図２Ｂ】図１に示した青色有機ＥＬ素子の共振構造を表す断面模式図である。
【図２Ｃ】図１に示した緑色有機ＥＬ素子の共振構造を表す断面模式図である。
【図３】図２Ａに示した第３反射面の他の例（１）を表す断面模式図である。
【図４】図２Ａに示した第３反射面の他の例（２）を表す断面模式図である。
【図５】図１に示した発光装置の動作について説明するための断面模式図である。
【図６】比較例１に係る発光装置の構成を表す断面模式図である。
【図７Ａ】図１，６に示した発光装置から取り出される各色の光の透過率を表す図である。
【図７Ｂ】図７Ａに示した縦軸の透過率を規格化して表す図である。
【図８】変形例１に係る発光装置および図６に示した発光装置各々から取り出される各色の光の透過率を表す図である。
【図９】変形例２に係る発光装置（赤色有機ＥＬ素子）の概略構成を表す断面模式図である。
【図１０】本開示の第２の実施の形態に係る発光装置の概略構成を表す断面模式図である。
【図１１Ａ】図１０に示した赤色有機ＥＬ素子の共振構造を表す断面模式図である。
【図１１Ｂ】図１０に示した青色有機ＥＬ素子の共振構造を表す断面模式図である。
【図１１Ｃ】図１０に示した緑色有機ＥＬ素子の共振構造を表す断面模式図である。
【図１２】図１０に示した発光装置の動作について説明するための断面模式図である。
【図１３】図１０に示した発光装置の視野角特性を表す図である。
【図１４】比較例２に係る発光装置の構成を表す断面模式図である。
【図１５】変形例３に係る発光装置（赤色有機ＥＬ素子）の構成を表す断面模式図である。
【図１６】図１等に示した発光装置を適用させた表示装置の構成を模式的に表す断面図である。
【図１７】図１６に示した表示装置の他の例を表す断面図である。
【図１８】図１６に示した表示装置の構成を表すブロック図である。
【図１９】図１８に示した表示装置が適用される電子機器の構成を表すブロック図である。
【図２０】図１等に示した発光装置を適用させた照明装置の外観の一例を斜視的に表す図である。
【発明を実施するための形態】
【００１０】
本開示の実施の形態について図面を参照して以下の順に詳細に説明する。
１．第１の実施の形態（第２反射面近傍に第３反射面を有する発光装置）
２．変形例１（第３反射面で光を強め合うように反射する例）
３．変形例２（下面発光型の発光装置の例）
４．第２の実施の形態（第３反射面に加えて第４反射面および第５反射面を有する発光装置）
５．変形例３（第６反射面を有する発光装置の例）
６．適用例１（表示装置および電子機器の例）
７．適用例２（照明装置の例）
【００１１】
＜第１の実施の形態＞
［構成］
図１は、本開示の第１の実施の形態に係る発光装置（発光装置１）の要部の断面構成を表している。この発光装置１は基板１１上に、赤色有機ＥＬ素子１０Ｒ、緑色有機ＥＬ素子１０Ｇおよび青色有機ＥＬ素子１０Ｂを有している。赤色有機ＥＬ素子１０Ｒ、緑色有機ＥＬ素子１０Ｇおよび青色有機ＥＬ素子１０Ｂは、基板１１の互いに異なる領域（平面視で重ならない領域）に配置されている。
【００１２】
赤色有機ＥＬ素子１０Ｒは、基板１１上に第１電極１２、赤色発光層１３１Ｒ（第１発光層）を含む赤色有機層１３Ｒ、第１透明層１４Ｒ、第２電極１５Ｒおよび第２透明層１６Ｒをこの順に有している。緑色有機ＥＬ素子１０Ｇは、基板１１上に第１電極１２、緑色発光層１３１Ｇを含む緑色有機層１３Ｇ、第１透明層１４Ｇ、第２電極１５Ｇおよび第２透明層１６Ｇをこの順に有している。青色有機ＥＬ素子１０Ｂは、基板１１上に第１電極１２、青色発光層１３１Ｂ（第２発光層）を含む青色有機層１３Ｂ、第１透明層１４Ｂ、第２電極１５Ｂおよび第２透明層１６Ｂをこの順に有している。
【００１３】
赤色有機ＥＬ素子１０Ｒは、赤色発光層１３１Ｒで発生した赤色波長域の光（赤色光ＬＲ）を、第２透明層１６Ｒ側から出射するようになっている。緑色有機ＥＬ素子１０Ｇは、緑色発光層１３１Ｇで発生した緑色波長域の光（緑色光ＬＧ）を、第２透明層１６Ｇ側から出射するようになっている。青色有機ＥＬ素子１０Ｂは、青色発光層１３１Ｂで発生した青色波長域の光（青色光ＬＢ）を、第２透明層１６Ｂ側から出射するようになっている。発光装置１は、赤色発光層１３１Ｒ，緑色発光層１３１Ｇ，青色発光層１３１Ｂから出射された光を第１電極１２と、第２透明層１６Ｒ，１６Ｇ，１６Ｂとの間で、多重反射させて、光を取り出すように構成されている。即ち、発光装置１は、共振器構造を有する上面発光型の発光装置である。
【００１４】
基板１１は、赤色有機ＥＬ素子１０Ｒ，緑色有機ＥＬ素子１０Ｇ，青色有機ＥＬ素子１０Ｂを支持するための板状部材であり、例えば透明ガラス基板または半導体基板等により構成されている。基板１１を可撓性基板（フレキシブル基板）により構成するようにしてもよい。
【００１５】
第１電極１２は、アノード電極であるとともに、反射層としての機能も有している。第１電極１２は、例えば、赤色発光素子領域１１Ｒ、緑色発光素子領域１１Ｇおよび青色発光素子領域１１Ｂに共通して設けられている。第１電極１２には、例えばアルミニウム（Ａｌ）およびその合金，白金（Ｐｔ），金（Ａｕ），クロム（Ｃｒ），またはタングステン（Ｗ）等の光反射性材料を用いることができる。第１電極１２は、透明導電材料と、光反射性材料とを積層させて構成するようにしてもよい。第１電極１２の厚みは、１００ｎｍ〜３００ｎｍの範囲であることが好ましい。
【００１６】
赤色有機層１３Ｒは、例えば第１電極１２に近い位置から、正孔注入層、正孔輸送層、赤色発光層１３１Ｒ、電子輸送層および電子注入層をこの順に有している。緑色有機層１３Ｇは、例えば第１電極１２に近い位置から、正孔注入層、正孔輸送層、緑色発光層１３１Ｇ、電子輸送層および電子注入層をこの順に有している。青色有機層１３Ｂは、例えば第１電極１２に近い位置から、正孔注入層、正孔輸送層、青色発光層１３１Ｂ、電子輸送層および電子注入層をこの順に有している。
【００１７】
正孔注入層は、リークを防止するための層であり、例えばヘキサアザトリフェニレン（ＨＡＴ）等により構成されている。正孔注入層の厚みは、例えば１ｎｍ〜２０ｎｍである。正孔輸送層は、例えばα−ＮＰＤ〔N,N'-di(1-naphthyl)-N,N'-diphenyl-〔1,1'-biphenyl 〕-4,4'-diamine 〕により構成されている。正孔輸送層の厚みは、例えば１５ｎｍ〜１００ｎｍである。
【００１８】
赤色発光層１３１Ｒ，緑色発光層１３１Ｇ，青色発光層１３１Ｂは、正孔と電子との結合により、所定の色の光を発するように構成されており、例えば、５ｎｍ〜５０ｎｍの厚みを有している。赤色発光層１３１Ｒは、赤色波長域の光を発するものであり、例えば、ピロメテンホウ素錯体がドーピングされたルブレンにより構成されている。このとき、ルブレンはホスト材料として用いられている。緑色発光層１３１Ｇは、緑色波長域の光を発するものであり、例えばＡｌｑ3（トリスキノリノールアルミニウム錯体）により構成されている。青色発光層１３１Ｂは、青色波長域の光を発するものであり、例えば、ジアミノクリセン誘導体がドーピングされたＡＤＮ（９，１０−ジ（２−ナフチル）アントラセン）により構成されている。このとき、ＡＤＮは、ホスト材料として、正孔輸送層上に例えば厚み２０ｎｍで蒸着され、ジアミノクリセン誘導体は、ドーパント材料として、相対膜厚比で５％ドーピングされる。
【００１９】
電子輸送層は、ＢＣＰ（２，９−ジメチル−４，７−ジフェニル−１，１０−フェナントロリン）により構成されている。電子輸送層の厚みは、例えば１５ｎｍ〜２００ｎｍである。電子注入層は、例えばフッ化リチウム（ＬｉＦ）により構成されている。電子注入層の厚みは、例えば１５ｎｍ〜２７０ｎｍである。
【００２０】
第１透明層１４Ｒ，１４Ｇ，１４Ｂは、例えば、赤色有機層１３Ｒ，緑色有機層１３Ｇ，青色有機層１３Ｂと、第２電極１５Ｒ，１５Ｇ，１５Ｂとの間に設けられている。第１透明層１４Ｒ，１４Ｇ，１４Ｂは、例えば、ＩＴＯ（Indium Tin Oxide）および、インジウムと亜鉛との酸化物（ＩＺＯ）などの光透過性導電材料により構成されている。この第１透明層１４Ｒ，１４Ｇ，１４Ｂが、第２電極１５Ｒ，１５Ｇ，１５Ｂとともに電極として機能してもよい。
【００２１】
第１透明層１４Ｒ，１４Ｇ，１４Ｂは、例えば、酸化亜鉛（ＺｎＯ）および酸化チタン（ＴｉＯ）等の金属酸化物により構成されていてもよい。酸化亜鉛（ＺｎＯ）および酸化チタン（ＴｉＯ）等の高抵抗材料により構成された第１透明層１４Ｒ，１４Ｇ，１４Ｂ（高抵抗層）を設けることにより、例えば、異物に起因した第１電極１２と第２電極１５Ｒ，１５Ｇ，１５Ｂとの短絡の発生が抑えられる。即ち、滅点の発生が抑えられる。第１透明層１４Ｒ，１４Ｇ，１４Ｂは、積層構造を有していてもよい（例えば、後述の図３の第１透明層１４ＲＡ，１４ＲＢ）。第１透明層１４Ｒ，１４Ｇ，１４Ｂの光学膜厚は、例えば３０ｎｍ〜４５０ｎｍである。
【００２２】
赤色有機層１３Ｒ，緑色有機層１３Ｇ，青色有機層１３Ｂを間にして第１電極１２と対向する第２電極１５Ｒ，１５Ｇ，１５Ｂは、光透過性導電材料により構成されている。第２電極１５Ｒ，１５Ｇ，１５Ｂは、その厚みが５ｎｍ以上であることが好ましく、例えば、マグネシウム（Ｍｇ），銀（Ａｇ）またはこれらの合金により構成されている。このような高い反射率を有する第２電極１５Ｒ，１５Ｇ，１５Ｂを設けることにより、共振器構造の効果が高まり、光取出効率を向上させることができる。これにより、消費電力を抑え、また、赤色有機ＥＬ素子１０Ｒ，緑色有機ＥＬ素子１０Ｇ，青色有機ＥＬ素子１０Ｂの寿命を延ばすこともできる。更に、十分な厚みの第２電極１５Ｒ，１５Ｇ，１５Ｂを設けることにより、薄い第２電極１５Ｒ，１５Ｇ，１５Ｂに起因した画品位不良の発生を抑えることができる（後述）。
【００２３】
第２透明層１６Ｒ，１６Ｇ，１６Ｂは、第２電極１５Ｒ，１５Ｇ，１５Ｂよりも光取り出し側に設けられており、第２電極１５Ｒ，１５Ｇ，１５Ｂを間にして赤色有機層１３Ｒ，緑色有機層１３Ｇ，青色有機層１３Ｂに対向している。この第２透明層１６Ｒ，１６Ｇ，１６Ｂには、例えば光透過性導電材料または光透過性誘電体材料を用いることができる。光透過性導電材料としては、例えばＩＴＯ（Indium Tin Oxide）および、インジウムと亜鉛との酸化物（ＩＺＯ）等が挙げられる。光透過性誘電体材料としては、例えば酸化シリコン（ＳｉＯ2），シリコンオキシナイトライド（ＳｉＯＮ）または窒化シリコン（ＳｉＮ）等が挙げられる。第２透明層１６Ｒ，１６Ｇ，１６Ｂは、第２電極１５Ｒ，１５Ｇ，１５Ｂとともに電極として機能してもよく、あるいは、パッシベーション膜として機能してもよい。第２透明層１６Ｒ，１６Ｇ，１６Ｂには、ＭｇＦまたはＮａＦなどの低屈折率材料を用いることも可能である。
【００２４】
第２透明層１６Ｒ，１６Ｇ，１６Ｂの上層には、１μｍ以上の層が設けられていることが好ましい。この１μｍ以上の層は、例えば透明導電材料、透明絶縁材料、樹脂材料またはガラス等により構成されている。空気により構成することも可能である。このような層を設けることにより、第１電極１２と第２透明層１６Ｒ，１６Ｇ，１６Ｂとの間で構成される共振器構造への外部からの干渉を防ぐことができる。
【００２５】
図２Ａは赤色有機ＥＬ素子１０Ｒ、図２Ｂは青色有機ＥＬ素子１０Ｂ、図２Ｃは緑色有機ＥＬ素子１０Ｇの共振器構造を各々表している。
【００２６】
赤色有機ＥＬ素子１０Ｒは、基板１１側から、第１反射面Ｓ１Ｒ、第３反射面Ｓ３Ｒ、および第２反射面Ｓ２Ｒをこの順に有している（図２Ａ）。赤色有機ＥＬ素子１０Ｒでは、第２反射面Ｓ２Ｒ側から光（赤色光ＬＲ）が取り出されるようになっている。第１反射面Ｓ１Ｒと第３反射面Ｓ３Ｒとの間には、赤色発光層１３１Ｒの発光中心ＯＲが設けられている。例えば、第１電極１２は、第１反射面Ｓ１Ｒを間にして赤色発光層１３１Ｒに対向している。第１透明層１４Ｒは、例えば、赤色発光層１３１Ｒ（発光中心ＯＲ）と第２反射面Ｓ２Ｒとの間に設けられている。
【００２７】
青色有機ＥＬ素子１０Ｂは、基板１１側から、第１反射面Ｓ１Ｂ、第３反射面Ｓ３Ｂおよび第２反射面Ｓ２Ｂをこの順に有している（図２Ｂ）。青色有機ＥＬ素子１０Ｂでは、第２反射面Ｓ２Ｂ側から光（青色光ＬＢ）が取り出されるようになっている。第１反射面Ｓ１Ｂと第３反射面Ｓ３Ｂとの間には、発光中心ＯＢが設けられている。例えば、第１電極１２は、第１反射面Ｓ１Ｂを間にして青色発光層１３１Ｂに対向している。第１透明層１４Ｂは、青色発光層１３１Ｂ（発光中心ＯＢ）と第２反射面Ｓ２Ｂとの間に設けられている。
【００２８】
緑色有機ＥＬ素子１０Ｇは、基板１１側から、第１反射面Ｓ１Ｇ、第３反射面Ｓ３Ｇおよび第２反射面Ｓ２Ｇをこの順に有している（図２Ｃ）。緑色有機ＥＬ素子１０Ｇでは、第２反射面Ｓ２Ｇ側から光（緑色光ＬＧ）が取り出されるようになっている。第１反射面Ｓ１Ｇと第３反射面Ｓ３Ｇとの間には、発光中心ＯＧが設けられている。例えば、第１電極１２は、第１反射面Ｓ１Ｇを間にして青色発光層１３１Ｂに対向している。第１透明層１４Ｇは、緑色発光層１３１Ｇ（発光中心ＯＧ）と第２反射面Ｓ２ＢＧの間に設けられている。
【００２９】
第１反射面Ｓ１Ｒは、例えば第１電極１２と赤色有機層１３Ｒとの界面である。第１反射面Ｓ１Ｂは、例えば第１電極１２と青色有機層１３Ｂとの界面である。第１反射面Ｓ１Ｇは、例えば第１電極１２と緑色有機層１３Ｇとの界面である。第１反射面Ｓ１Ｒ，Ｓ１Ｂ，Ｓ１Ｇは、第１電極１２の構成材料と赤色有機層１３Ｒ，青色有機層１３Ｂ，緑色有機層１３Ｇの構成材料との屈折率の界面により形成されている。例えば第１電極１２を構成するアルミニウム（Ａｌ）の屈折率は０．７３、消衰係数は５．９１であり、赤色有機層１３Ｒ，青色有機層１３Ｂの屈折率は１．７５である。第１反射面Ｓ１Ｒは、発光中心ＯＲから光学距離Ｌ１１の位置に配置されている。第１反射面Ｓ１Ｂは、発光中心ＯＢから光学距離Ｌ２１の位置に配置されている。第１反射面Ｓ１Ｇは、発光中心ＯＧから光学距離Ｌ３１の位置に配置されている。
【００３０】
光学距離Ｌ１１，Ｌ２１，Ｌ３１は、赤色発光層１３１Ｒの発光スペクトルの中心波長λ１の光，青色発光層１３１Ｂの発光スペクトルの中心波長λ２の光，緑色発光層１３１Ｇの発光スペクトルの中心波長λ３の光を、第１反射面Ｓ１Ｒ，Ｓ１Ｂ，Ｓ１Ｇと、発光中心ＯＲ，ＯＢ，ＯＧとの間における干渉によって強め合うように設定されている。
【００３１】
具体的には、光学距離Ｌ１１，Ｌ２１，Ｌ３１は、以下の式（１）〜（４），（２５），（２６）を満たすように構成されている。光学距離Ｌ１１は例えば１２５ｎｍであり、光学距離Ｌ２１は例えば８８ｎｍであり、光学距離Ｌ３１は例えば１０１ｎｍである。
【００３２】
２Ｌ１１／λ１１+ａ１／（２π）＝ｍ１（ただし、ｍ１≧０）・・・・・（１）
λ１−１５０＜λ１１＜λ１＋８０・・・・・（２）
２Ｌ２１／λ２１+ｃ１／（２π）＝ｎ１（ただし、ｎ１≧０）・・・・・（３）
λ２−１５０＜λ２１＜λ２＋８０・・・・・（４）
２Ｌ３１／λ３１+ｂ１／（２π）＝ｐ１（ただし、ｐ１≧０）・・・・・（２５）
λ３−１５０＜λ３１＜λ３＋８０・・・・・（２６）
ただし、ｍ１、ｎ１、ｐ１：整数
λ１、λ２、λ３、λ１１、λ２１およびλ３１の単位：ｎｍ
ａ１：赤色発光層１３１Ｒから出射された各波長の光が第１反射面Ｓ１Ｒで反射する際の位相変化
ｃ１：青色発光層１３１Ｂから出射された各波長の光が第１反射面Ｓ１Ｂで反射する際の位相変化
ｂ１：緑色発光層１３１Ｇから出射された各波長の光が第１反射面Ｓ１Ｇで反射する際の位相変化
【００３３】
上記ａ１，ｃ１，ｂ１は、第１電極１２の構成材料の複素屈折率Ｎ＝ｎ０-ｊｋ（ｎ０：屈折率、ｋ：消衰係数）のｎ０、ｋと、赤色有機層１３Ｒ，青色有機層１３Ｂ，緑色有機層１３Ｇの屈折率とを用いて計算することができる（例えば、Principles of Optics, Max Born and Emil Wolf, 1974 (PERGAMON PRESS)などを参照）。各構成材料の屈折率は、分光エリプソメトリー測定装置を用いて測定することができる。
【００３４】
ｍ１、ｎ１、ｐ１の値が大きいといわゆるマイクロキャビティ（微小共振器）効果が得られないため、ｍ１＝０、ｎ１＝０、ｐ１＝０であることが好ましい。例えば、光学距離Ｌ１１は、以下の式（２７），（２８）を共に満たしている。
【００３５】
２Ｌ１１／λ１１+ａ１／（２π）＝０・・・・・（２７）
λ１−１５０＝４５０＜λ１１＝６００＜λ１＋８０＝６８０・・・・・（２８）
【００３６】
式（２７）を満たす第１反射面Ｓ１Ｒは、０次の干渉の位置に設けられているので、広い波長帯域にわたって、高い透過率を示す。このため、式（２８）に示したように、λ１１を中心波長λ１から大きくずらすことも可能である。光学距離Ｌ２１，Ｌ３１についても同様である。
【００３７】
第２反射面Ｓ２Ｒは、発光中心ＯＲ（赤色発光層１３１Ｒ）を間にして第１反射面Ｓ１Ｒに対向している。この第２反射面Ｓ２Ｒは、例えば、反射性を有する第２電極１５Ｒにより形成されている。第２反射面Ｓ２Ｂは、発光中心ＯＢ（青色発光層１３１Ｂ）を間にして第１反射面Ｓ１Ｂに対向している。この第２反射面Ｓ２Ｂは、例えば、反射性を有する第２電極１５Ｂにより形成されている。第２反射面Ｓ２Ｇは、発光中心ＯＧ（緑色発光層１３１Ｇ）を間にして第１反射面Ｓ１Ｇに対向している。この第２反射面Ｓ２Ｇは、例えば、反射性を有する第２電極１５Ｇにより形成されている。第２反射面Ｓ２Ｒ，Ｓ２Ｂ，Ｓ２Ｇは、第１透明層１４Ｒ，１４Ｂ，１４Ｇと、第２電極１５Ｒとの界面により構成されていてもよい。第２反射面Ｓ２Ｒは、発光中心ＯＲから光学距離Ｌ１２の位置に配置されている。第２反射面Ｓ２Ｂは、発光中心ＯＢから光学距離Ｌ２２の位置に配置されている。第２反射面Ｓ２Ｇは、発光中心ＯＧから光学距離Ｌ３２の位置に配置されている。
【００３８】
光学距離Ｌ１２，Ｌ２２，Ｌ３２は、赤色発光層１３１Ｒの発光スペクトルの中心波長λ１の光，青色発光層１３１Ｂの発光スペクトルの中心波長λ２の光，緑色発光層１３１Ｇの発光スペクトルの中心波長λ３の光を、第２反射面Ｓ２Ｒ，Ｓ２Ｂ，Ｓ２Ｇと、発光中心ＯＲ，ＯＢ，ＯＧとの間における干渉によって強め合うように設定されている。
【００３９】
具体的には、光学距離Ｌ１２，Ｌ２２，Ｌ３２は、以下の式（５）〜（８），（２９），（３０）を満たすように構成されている。光学距離Ｌ１２は例えば３９０ｎｍであり、光学距離Ｌ２２は例えば２４３ｎｍであり、光学距離Ｌ３２は例えば３２０ｎｍである。
【００４０】
２Ｌ１２／λ１２+ａ２／（２π）＝ｍ２・・・・・（５）
λ１−８０＜λ１２＜λ１＋８０・・・・・（６）
２Ｌ２２／λ２２+ｃ２／（２π）＝ｎ２・・・・・（７）
λ２−８０＜λ２２＜λ２＋８０・・・・・（８）
２Ｌ３２／λ３２+ｂ２／（２π）＝ｐ２・・・・・（２９）
λ３−８０＜λ３２＜λ３＋８０・・・・・（３０）
ただし、ｍ２、ｎ２、ｐ２：整数
λ１、λ２、λ３、λ１２、λ２２、およびλ３２の単位：ｎｍ
ａ２：赤色発光層１３１Ｒから出射された各波長の光が第２反射面Ｓ２Ｒで反射する際の位相変化
ｃ２：青色発光層１３１Ｂから出射された各波長の光が第２反射面Ｓ２Ｂで反射する際の位相変化
ｂ２：緑色発光層１３１Ｇから出射された各波長の光が第２反射面Ｓ２Ｇで反射する際の位相変化
【００４１】
上記ａ２，ｃ２，ｂ２は、ａ１，ｃ１，ｂ１と同様の方法で求めることができる。
【００４２】
ｍ２、ｎ２、ｐ２の値が大きいといわゆるマイクロキャビティ（微小共振器）効果が得られないため、ｍ２＝１、ｎ２＝１、ｐ２＝１であることが好ましい。
【００４３】
第２反射面Ｓ２Ｒに対向する第３反射面Ｓ３Ｒは、例えば、赤色有機層１３Ｒと第２反射面Ｓ２Ｒとの間（第２反射面Ｓ２Ｒよりも発光中心ＯＲに近い位置）に設けられている。第２反射面Ｓ２Ｂに対向する第３反射面Ｓ３Ｂは、例えば、青色有機層１３Ｂと第２反射面Ｓ２Ｂとの間（第２反射面Ｓ２Ｂよりも発光中心ＯＢに近い位置）に設けられている。第２反射面Ｓ２Ｇに対向する第３反射面Ｓ３Ｇは、例えば、緑色有機層１３Ｇと第２反射面Ｓ２Ｇとの間（第２反射面Ｓ２Ｇよりも発光中心ＯＧに近い位置）に設けられている。
【００４４】
このような第３反射面Ｓ３Ｒ，Ｓ３Ｂ，Ｓ３Ｇは、互いに屈折率の異なる高屈折率層と低屈折率層との界面であり、例えば、赤色有機層１３Ｒ，青色有機層１３Ｂ，緑色有機層１３Ｇ（低屈折率層）と第１透明層１４Ｒ，１４Ｂ，１４Ｇ（高屈折率層）との界面である。例えば赤色有機層１３Ｒ，青色有機層１３Ｂ，緑色有機層１３Ｇの屈折率は１．８であり、透明導電材料からなる第１透明層１４Ｒ，１４Ｂ，１４Ｇの屈折率は２．０である。第３反射面Ｓ３Ｒは、発光中心ＯＲから光学距離Ｌ１３の位置に配置されている。第３反射面Ｓ３Ｂは、発光中心ＯＢから光学距離Ｌ２３の位置に配置されている。第３反射面Ｓ３Ｇは、発光中心ＯＧから光学距離Ｌ３３の位置に配置されている。
【００４５】
本実施の形態では、これらの第３反射面Ｓ３Ｒ，Ｓ３Ｂ，Ｓ３Ｇが各々、第２反射面Ｓ２Ｒ，Ｓ２Ｂ，Ｓ２Ｇから（λ１）/４以内，（λ２）/４以内，（λ３）/４以内の距離の位置に配置されている。即ち、第３反射面Ｓ３Ｒ，Ｓ３Ｂ，Ｓ３Ｇが以下の式（３１）〜（３３）を満たす。式（３１）〜（３３）の（λ１）/４，（λ２）/４，（λ３）/４は、例えば５０ｎｍ〜６０ｎｍである。（λ１）/４，（λ２）/４，（λ３）/４は、９０ｎｍよりも小さいことが好ましい。
【００４６】
｜Ｌ１２−Ｌ１３｜≦（λ１）/４・・・・・（３１）
｜Ｌ２２−Ｌ２３｜≦（λ２）/４・・・・・（３２）
｜Ｌ３２−Ｌ３３｜≦（λ３）/４・・・・・（３３）
λ１、λ２およびλ３の単位：ｎｍ
【００４７】
これにより、赤色発光層１３１Ｒから出射される光（発光スペクトルの中心波長λ１の光）、青色発光層１３１Ｂから出射される光（発光スペクトルの中心波長λ２の光）および緑色発光層１３１Ｇから出射される光（発光スペクトルの中心波長λ３の光）の第３反射面Ｓ３Ｒ，Ｓ３Ｂ，Ｓ３Ｇでの反射が、同様の傾向を示す。第３反射面Ｓ３Ｒ，Ｓ３Ｂ，Ｓ３Ｇを第２反射面Ｓ２Ｒ，Ｓ２Ｂ，Ｓ２Ｇの近傍に配置することにより、距離による位相ずれの影響が小さくなるためである。第３反射面Ｓ３Ｒ，Ｓ３Ｂ，Ｓ３Ｇは、各々、第２反射面Ｓ２Ｒ，Ｓ２Ｂ，Ｓ２Ｇから（λ１）/８以内，（λ２）/８以内，（λ３）/８以内の距離の位置に配置されていることがより好ましい。
【００４８】
光学距離Ｌ１３，Ｌ２３，Ｌ３３は、例えば、赤色発光層１３１Ｒの発光スペクトルの中心波長λ１の光，青色発光層１３１Ｂの発光スペクトルの中心波長λ２の光，緑色発光層１３１Ｇの発光スペクトルの中心波長３２の光を、第３反射面Ｓ３Ｒ，Ｓ３Ｂ，Ｓ３Ｇと、発光中心ＯＲ，ＯＢ，ＯＧとの間における干渉によって弱め合うように設定されている。
【００４９】
具体的には、光学距離Ｌ１３，Ｌ２３，Ｌ３３は、以下の式（９）〜（１２），（３４），（３５）を満たすように構成されている。光学距離Ｌ１３は例えば３４３ｎｍであり、光学距離Ｌ２３は例えば１９６ｎｍであり、光学距離Ｌ３３は例えば２７３ｎｍである。
【００５０】
２Ｌ１３／λ１３+ａ３／（２π）＝ｍ３＋１／２・・・・・（９）
λ１−１５０＜λ１３＜λ１＋１５０・・・・・（１０）
２Ｌ２３／λ２３+ｃ３／（２π）＝ｎ３＋１／２・・・・・（１１）
λ２−１５０＜λ２３＜λ２＋１５０・・・・・（１２）
２Ｌ３３／λ３３+ｂ３／（２π）＝ｐ３＋１／２・・・・・（３４）
λ３−１５０＜λ３３＜λ３＋１５０・・・・・（３５）
ただし、ｍ３、ｎ３、ｐ３：整数
λ１、λ２、λ３、λ１３、λ２３およびλ３３の単位：ｎｍ
ａ３：赤色発光層１３１Ｒから出射された各波長の光が第３反射面Ｓ３Ｒで反射する際の位相変化
ｃ３：青色発光層１３１Ｂから出射された各波長の光が第３反射面Ｓ３Ｂで反射する際の位相変化
ｂ３：緑色発光層１３１Ｇから出射された各波長の光が第３反射面Ｓ３Ｇで反射する際の位相変化
【００５１】
上記ａ３，ｃ３，ｂ３は、ａ１，ｃ１，ｂ１と同様の方法で求めることができる。
【００５２】
詳細は後述するが、このように発光装置１では、第３反射面Ｓ３Ｒ，Ｓ３Ｂ，Ｓ３Ｇにより、赤色発光層１３１Ｒ、緑色発光層１３１Ｇ，青色発光層１３１Ｂ各々から出射される光の共振が一様に弱められるので、視野角特性を向上させることが可能となる。
【００５３】
図３は、積層構造（第１透明層１４ＲＡ，１４ＲＢ）の第１透明層１４Ｒを有する赤色有機ＥＬ素子１０Ｒの構成を表している。例えば、赤色有機層１３Ｒ側から、第１透明層１４ＲＡおよび第１透明層１４ＲＢの順に配置されており、第１透明層１４ＲＡの屈折率と第１透明層１４ＲＢの屈折率とが異なっている。このような赤色有機ＥＬ素子１０Ｒでは、第３反射面Ｓ３Ｒが、第１透明層１４ＲＡと第１透明層１４ＲＢとの界面であってもよい。図示は省略するが、青色有機ＥＬ素子１０Ｂおよび緑色有機ＥＬ素子１０Ｇの第３反射面Ｓ３Ｂ，Ｓ３Ｇが、同様に、各々積層構造を有する第１透明層１４Ｂ，１４Ｇの界面であってもよい。
【００５４】
図４は、第２電極１５Ｒと第２透明層１６Ｒとの間に第１透明層１４Ｒを有する赤色有機ＥＬ素子１０Ｒの構成を表している。第３反射面Ｓ３Ｒは、例えば、第１透明層１４Ｒと第２透明層１６Ｒとの界面である。このように、第３反射面Ｓ３Ｒが、第２反射面Ｓ２Ｒを間にして赤色有機層１３Ｒに対向する位置（第２反射面Ｓ２Ｒよりも発光中心ＯＲから遠い位置）に配置されていてもよい。図示は省略するが、青色有機ＥＬ素子１０Ｂおよび緑色有機ＥＬ素子１０Ｇの第３反射面Ｓ３Ｂ，Ｓ３Ｇが、同様に、第２反射面Ｓ２Ｂ，Ｓ２Ｇを間にして青色有機層１３Ｂ，緑色有機層１３Ｇに対向する位置（第２反射面Ｓ２Ｂ，Ｓ２Ｇよりも発光中心ＯＢ，ＯＧから遠い位置）に配置されていてもよい。
【００５５】
このような発光装置１は、基板１１上に、第１電極１２、有機層（赤色有機層１３Ｒ，緑色有機層１３Ｇ，青色有機層１３Ｂ）、第１透明層１４Ｒ，１４Ｇ，１４Ｂ、第２電極１５Ｒ，１５Ｇ，１５Ｂおよび第２透明層１６Ｒ，１６Ｇ，１６Ｂをこの順に形成することにより製造することができる。赤色有機層１３Ｒ，緑色有機層１３Ｇ，青色有機層１３Ｂは、蒸着法によって形成してもよく、あるいは印刷によって形成するようにしてもよい。換言すれば、赤色有機層１３Ｒ，緑色有機層１３Ｇ，青色有機層１３Ｂは印刷層であってもよい。第１透明層１４Ｒ，１４Ｇ，１４Ｂおよび第２透明層１６Ｒ，１６Ｇ，１６Ｂはそれぞれ共通層であり、赤色有機ＥＬ素子１０Ｒ、緑色有機ＥＬ素子１０Ｇおよび青色有機ＥＬ素子１０Ｂにおいて、それぞれ同一の構成材料および同一の厚みで形成されていてもよい。第２電極１５Ｒ，１５Ｇ，１５Ｂが、赤色有機ＥＬ素子１０Ｒ、緑色有機ＥＬ素子１０Ｇおよび青色有機ＥＬ素子１０Ｂに共通して設けられていてもよい。
【００５６】
［作用、効果］
上記のような発光装置１では、赤色有機ＥＬ素子１０Ｒ，緑色有機ＥＬ素子１０Ｇ，青色有機ＥＬ素子１０Ｂの各発光層（赤色発光層１３１Ｒ，緑色発光層１３１Ｇ，青色発光層１３１Ｂ）に第１電極１２と第２電極１５Ｒ，１５Ｇ，１５Ｂを通じて駆動電流が注入されると、各発光層において正孔と電子とが再結合して励起子を生じ、発光が起こる。
【００５７】
図５に示したように、赤色有機ＥＬ素子１０Ｒでは、赤色発光層１３１Ｒから出射された光が、第１反射面Ｓ１Ｒと第２反射面Ｓ２Ｒとの間で多重反射され、第２透明層１６Ｒ側から取り出される。赤色有機ＥＬ素子１０Ｒでは、赤色光ＬＲが取り出される。同様に、緑色有機ＥＬ素子１０Ｇでは、緑色光ＬＧが取り出され、青色有機ＥＬ素子１０Ｂでは、青色光ＬＢが取り出される。これら赤色光ＬＲ，緑色光ＬＧおよび青色光ＬＢの加法混色により、様々な色が表現される。
【００５８】
本実施の形態の発光装置１では、第２反射面Ｓ２Ｒ，Ｓ２Ｂ，Ｓ２Ｇの近傍に第３反射面Ｓ３Ｒ，Ｓ３Ｂ，Ｓ３Ｇが設けられているので、赤色発光層１３１Ｒ、青色発光層１３１Ｂおよび緑色発光層１３１Ｇから出射された光の第３反射面Ｓ３Ｒ，Ｓ３Ｂ，Ｓ３Ｇでの反射を一様に制御することができる。以下、これについて比較例を用いて説明する。
【００５９】
図６は、比較例１に係る発光装置（発光装置１００）に設けられた赤色有機ＥＬ素子（赤色有機ＥＬ素子１００Ｒ）の構成を表している。この赤色有機ＥＬ素子１００Ｒには、第１反射面Ｓ１Ｒおよび第２反射面Ｓ２Ｒが設けられている。赤色有機ＥＬ素子１００Ｒは、第３反射面（図２Ａの第３反射面Ｓ３Ｒ）を有していない。発光装置１００の緑色有機ＥＬ素子および青色有機ＥＬ素子は、赤色有機ＥＬ素子１００Ｒと同様に、第３反射面を有していない。
【００６０】
このような赤色有機ＥＬ素子１００Ｒ等を有する発光装置では、例えば、所望の波長の光が共振するように、第１反射面Ｓ１Ｒと第２反射面Ｓ２Ｒの間の膜厚を設定し、これにより発光効率を高めることが考え得る（例えば特許文献１参照）。また、有機層（赤色有機層１３Ｒ等）の膜厚を制御することにより、三原色（赤色、緑色、青色）の減衰のバランスをコントロールし、白色の色度点の視野角特性を高めることが考え得る（例えば特許文献２参照）。
【００６１】
しかし、このような赤色有機ＥＬ素子１００Ｒの共振器構造は、取り出される光のスペクトルに対して、半値幅の狭い干渉フィルタとして機能するので、光取出面を斜め方向から見た場合には、光の波長が大きくシフトする。このため、視野角によって発光強度の低下および色度ずれ等が生じ、視野角依存性が高くなってしまう。
【００６２】
特に、第２反射面Ｓ２Ｒの反射率を上げると、視野角依存性がより高くなり、画品位が大きく低下する。例えば、第２電極１５Ｒの厚みを大きくすると、第２反射面Ｓ２Ｒの反射率が上がる。一方、第２電極１５Ｒは、第２反射面Ｓ２Ｒとしての光学的な機能とともに、カソードとしての電気的な機能を有している。このため、第２電極１５Ｒの厚みを小さくすると、電気的な機能が十分に果たせないおそれがある。例えば、第２電極１５Ｒは、赤色有機ＥＬ素子１００Ｒが設けられた領域（素子領域）から、その周囲まで広い領域にわたって延在し、周囲の領域で接地電位ＧＮＤに接続されている。このような第２電極１５Ｒでは、素子領域と周囲の領域との間で抵抗が変化しやすい。この第２電極１５Ｒの抵抗の差に起因して、例えばクローストーク等が発生し、画品位が低下しやすくなる。
【００６３】
第２電極１５Ｒの電気的な機能を補う方法としては、例えば、第２電極１５Ｒに透明導電膜を重ねる方法（裏打ち）および素子領域内に接地電位ＧＮＤとのコンタクト部分を設ける方法等が考え得る。第２電極１５Ｒに透明導電膜を重ねる方法では、例えば１μｍ程度の厚みの透明導電膜が必要となる。この大きな厚みの透明導電膜を真空成膜装置で形成すると、生産性が低下するおそれがある。また、この方法では透明導電膜の大きな厚みに起因して、光取り出し効率が低下する。即ち、赤色有機ＥＬ素子１００Ｒの消費電力が増大し、赤色有機ＥＬ素子１００Ｒの寿命が短くなる。素子領域内に接地電位ＧＮＤとのコンタクト部分を設ける方法は、製造工程を考慮すると実現困難である。また、コンタクト部分によって、発光領域が狭まるので、赤色有機ＥＬ素子１００Ｒの寿命が短くなりやすい。
【００６４】
これに対して、発光装置１では、第２反射面Ｓ２Ｒ，Ｓ２Ｂ，Ｓ２Ｇの近傍に第３反射面Ｓ３Ｒ，Ｓ３Ｂ，Ｓ３Ｇを設けるようにしたので、第３反射面Ｓ３Ｒ，Ｓ３Ｂ，Ｓ３Ｇでは、赤色発光層１３１Ｒ、青色発光層１３１Ｂおよび緑色発光層１３１Ｇ各々から出射された光が、互いに同様の傾向で反射する。具体的には、赤色発光層１３１Ｒから出射される光、青色発光層１３１Ｂから出射される光および緑色発光層１３１Ｇから出射される光が、第３反射面Ｓ３Ｒ，Ｓ３Ｂ，Ｓ３Ｇと発光中心ＯＲ，ＯＢ，ＯＧとの間における干渉によって弱められる。
【００６５】
図７Ａは、発光装置１の分光透過率を、発光装置１００の分光透過率とともに表したものである。図７Ｂは、図７Ａに示された各色の光のピークの透過率を１として規格化したものである。図７Ａ，図７Ｂでは、発光装置１の分光透過率が破線で表され、発光装置１００の分光透過率が実線で表されている。第３反射面Ｓ３Ｒ，Ｓ３Ｂ，Ｓ３Ｇを設けることにより、発光装置１では、発光装置１００に比べて、赤色有機ＥＬ素子１０Ｒ、青色有機ＥＬ素子１０Ｂおよび緑色有機ＥＬ素子１０Ｇの共振効果が一様に弱まっていることがわかる（図７Ａ）。また、発光装置１では、発光装置１００に比べて赤色光ＬＲ、青色光ＬＢおよび緑色光ＬＧのスペクトルのピークの半値幅が大きくなっている（図７Ｂ）。したがって、視野角に起因した輝度の変化および色度ずれの発生が抑えられる。
【００６６】
このため、発光装置１では、第２電極１５Ｒ，１５Ｂ，１５Ｇの厚みを大きくしても、発光装置１００に比べて、視野角特性の大きな低下が抑えられる。つまり、第２電極１５Ｒ，１５Ｂ，１５Ｇの電気的な機能が十分に維持されるので、高い画品位が維持される。また、消費電力の増大が抑えられ、寿命期間が維持される。
【００６７】
このように、発光装置１では、第２反射面Ｓ２Ｒ，Ｓ２Ｂ，Ｓ２Ｇの近傍に第３反射面Ｓ３Ｒ，Ｓ３Ｂ，Ｓ３Ｇを設けるようにしたので、第３反射面Ｓ３Ｒ，Ｓ３Ｂ，Ｓ３Ｇでの光（赤色光ＬＲ、青色光ＬＢおよび緑色光ＬＧ）の反射を広範囲の波長（例えば、波長λ１〜λ３）にわたって一様に制御することができる。例えば、第３反射面Ｓ３Ｒ，Ｓ３Ｂ，Ｓ３Ｇで赤色有機ＥＬ素子１０Ｒ、青色有機ＥＬ素子１０Ｂおよび緑色有機ＥＬ素子１０Ｇの共振効果を一様に弱めることにより、第２電極１５Ｒ，１５Ｂ，１５Ｇの厚みを十分に維持するとともに、視野角特性の低下を抑えることができる。
【００６８】
以上のように、本実施の形態の発光装置１では、第２反射面Ｓ２Ｒ，Ｓ２Ｂ，Ｓ２Ｇの近傍に第３反射面Ｓ３Ｒ，Ｓ３Ｂ，Ｓ３Ｇを設けるようにしたので、広範囲の波長（例えば、波長λ１〜λ３）の光（赤色光ＬＲ、青色光ＬＢおよび緑色光ＬＧ）の共振状態を制御することが可能となる。例えば、第３反射面Ｓ３Ｒ，Ｓ３Ｂ，Ｓ３Ｇで赤色有機ＥＬ素子１０Ｒ、青色有機ＥＬ素子１０Ｂおよび緑色有機ＥＬ素子１０Ｇの共振効果を一様に弱めることができる。これにより、発光装置１では、第２電極１５Ｒ，１５Ｂ，１５Ｇの厚みを十分に維持するとともに、視野角特性の低下を抑えることが可能となる。
【００６９】
以下、本実施の形態の変形例および他の実施の形態について説明するが、以降の説明において上記実施の形態と同一構成部分については同一符号を付してその説明は適宜省略する。
【００７０】
＜変形例１＞
発光装置１では、第３反射面Ｓ３Ｒ，Ｓ３Ｂ，Ｓ３Ｇで赤色有機ＥＬ素子１０Ｒ、青色有機ＥＬ素子１０Ｂおよび緑色有機ＥＬ素子１０Ｇの共振効果を一様に強めるようにしてもよい。
【００７１】
第３反射面Ｓ３Ｒ，Ｓ３Ｂ，Ｓ３Ｇは、上記第１の実施の形態で説明したのと同様に、互いに屈折率の異なる高屈折率層と低屈折率層との界面であり、例えば、有機層１３Ｒ，１３Ｂ，１３Ｇ（高屈折率層）と、第１透明層１４Ｒ，１４Ｂ，１４Ｇ（低屈折率層）との界面である（図２Ａ〜図２Ｃ参照）。有機層１３Ｒ，１３Ｂ，１３の屈折率は、例えば２．０であり、第１透明層１４Ｒ，１４Ｂ，１４Ｇの屈折率は、例えば１．８である。第２反射面Ｓ２Ｒ，Ｓ２Ｂ，Ｓ２Ｇの近傍に第３反射面Ｓ３Ｒ，Ｓ３Ｂ，Ｓ３Ｇが配置されているとき、例えば、低屈折率層と高屈折率層との積層順を変えることにより、第３反射面Ｓ３Ｒ，Ｓ３Ｂ，Ｓ３Ｇでの共振効果を変化させることができる。
【００７２】
このとき、光学距離Ｌ１３，Ｌ２３，Ｌ３３（図２Ａ〜図２Ｃ）は、赤色発光層１３１Ｒの発光スペクトルの中心波長λ１の光，青色発光層１３１Ｂの発光スペクトルの中心波長λ２の光，緑色発光層１３１Ｇの発光スペクトルの中心波長λ３の光を、第３反射面Ｓ３Ｒ，Ｓ３Ｂ，Ｓ３Ｇと、発光中心ＯＲ，ＯＢ，ＯＧとの間における干渉によって強め合うように設定されている。
【００７３】
具体的には、光学距離Ｌ１３，Ｌ２３，Ｌ３３は、以下の式（１３）〜（１６），（３６），（３７）を満たすように構成されている。
【００７４】
２Ｌ１３／λ１３+ａ３／（２π）＝ｍ３・・・・・（１３）
λ１−１５０＜λ１３＜λ１＋１５０・・・・・（１４）
２Ｌ２３／λ２３+ｃ３／（２π）＝ｎ３・・・・・（１５）
λ２−１５０＜λ２３＜λ２＋１５０・・・・・（１６）
２Ｌ３３／λ３３+ｂ３／（２π）＝ｐ３・・・・・（３６）
λ３−１５０＜λ３３＜λ３＋１５０・・・・・（３７）
ただし、ｍ３、ｎ３、ｐ３：整数
λ１、λ２、λ３、λ１３、λ２３およびλ３３の単位：ｎｍ
ａ３：赤色発光層１３１Ｒから出射された各波長の光が第３反射面Ｓ３Ｒで反射する際の位相変化
ｃ３：青色発光層１３１Ｂから出射された各波長の光が第３反射面Ｓ３Ｂで反射する際の位相変化
ｂ３：緑色発光層１３１Ｇから出射された各波長の光が第３反射面Ｓ３Ｇで反射する際の位相変化
【００７５】
上記ａ３，ｃ３，ｂ３は、ａ１，ｃ１，ｂ１と同様の方法で求めることができる。
【００７６】
図８は、変形例１に係る発光装置１の分光透過率を、発光装置１００の分光透過率とともに表したものである。図８では、発光装置１の分光透過率が破線で表され、発光装置１００の分光透過率が実線で表されている。第３反射面Ｓ３Ｒ，Ｓ３Ｂ，Ｓ３Ｇを設けることにより、発光装置１では、発光装置１００に比べて、赤色有機ＥＬ素子１０Ｒ、青色有機ＥＬ素子１０Ｂおよび緑色有機ＥＬ素子１０Ｇの共振効果が一様に強まっていることがわかる。
【００７７】
このように変形例１に係る発光装置１では、第３反射面Ｓ３Ｒ，Ｓ３Ｂ，Ｓ３Ｇにより、赤色発光層１３１Ｒ、緑色発光層１３１Ｇ，青色発光層１３１Ｂ各々から出射される光の共振が一様に強められるので、光取り出し効率が向上する。したがって、消費電力が抑えられ、寿命期間を延ばすことが可能となる。
【００７８】
＜変形例２＞
図９は、上記第１の実施の形態の変形例２に係る発光装置（発光装置１Ａ）の断面構成を模式的に表したものである。この発光装置１Ａに設けられた赤色有機ＥＬ素子（赤色有機ＥＬ素子１０ＲＡ）は、基板１１上に、第２透明層１６Ｒ、第２電極１５Ｒ、第１透明層１４Ｒ、赤色有機層１３Ｒおよび第１電極１２をこの順に有している。換言すれば、赤色有機ＥＬ素子１０ＲＡには、基板１１側から、第２反射面Ｓ２Ｒ、第３反射面Ｓ３Ｒおよび第１反射面Ｓ１Ｒがこの順に設けられている。発光装置１Ａの緑色有機ＥＬ素子および青色有機ＥＬ素子も、赤色有機ＥＬ素子１０ＲＡと同様の構成を有している。即ち、発光装置１Ａは、下面発光型の発光装置であり、基板１１側から光を取り出すように構成されている。
【００７９】
＜第２の実施の形態＞
図１０は、第２の実施の形態に係る発光装置（発光装置５）の断面構成を模式的に表したものである。この発光装置５は、赤色有機ＥＬ素子（赤色有機ＥＬ素子５０Ｒ）、緑色有機ＥＬ素子（緑色有機ＥＬ素子５０Ｇ）および青色有機ＥＬ素子（青色有機ＥＬ素子５０Ｂ）を有している。この赤色有機ＥＬ素子５０Ｒ、緑色有機ＥＬ素子５０Ｇおよび青色有機ＥＬ素子５０Ｂは、第２透明層１６Ｒ，１６Ｇ，１６Ｂ上に、第３透明層（第３透明層１７Ｒ，１７Ｇ，１７Ｂ）および第４透明層（第４透明層１８Ｒ，１８Ｇ，１８Ｂ）をこの順に有している。発光装置５では、第４透明層１８Ｒ，１８Ｇ，１８Ｂ側から各色の光（赤色光ＬＲ，緑色光ＬＧ，青色光ＬＢ）が取り出される。この点を除き、発光装置５は上記第１の実施の形態の発光装置１と同様の構成を有し、その作用および効果も同様である。
【００８０】
図１１Ａは赤色有機ＥＬ素子５０Ｒ、図１１Ｂは青色有機ＥＬ素子５０Ｂ、図１１Ｃは緑色有機ＥＬ素子５０Ｇの共振器構造を各々表している。
【００８１】
赤色有機ＥＬ素子５０Ｒは、基板１１側から、第１反射面Ｓ１Ｒ、第３反射面Ｓ３Ｒ、第２反射面Ｓ２Ｒ、第４反射面Ｓ４Ｒおよび第５反射面Ｓ５Ｒをこの順に有している（図１１Ａ）。第３透明層１７Ｒおよび第４透明層１８Ｒは、第２反射面Ｓ２Ｒを間にして赤色有機層１３Ｒに対向している。第３透明層１７Ｒおよび第４透明層１８Ｒは、第２反射面Ｓ２Ｒよりも、より発光中心ＯＲから遠い位置に配置されている。
【００８２】
青色有機ＥＬ素子５０Ｂは、基板１１側から、第１反射面Ｓ１Ｂ、第３反射面Ｓ３Ｂ、第２反射面Ｓ２Ｂ、第４反射面Ｓ４Ｂおよび第５反射面Ｓ５Ｂをこの順に有している（図１１Ｂ）。第３透明層１７Ｂおよび第４透明層１８Ｂは、第２反射面Ｓ２Ｂを間にして青色有機層１３Ｂに対向している。第３透明層１７Ｂおよび第４透明層１８Ｂは、第２反射面Ｓ２Ｂよりも、より発光中心ＯＢから遠い位置に配置されている。
【００８３】
緑色有機ＥＬ素子５０Ｇは、基板１１側から、第１反射面Ｓ１Ｇ、第３反射面Ｓ３Ｇ、第２反射面Ｓ２Ｇ、第４反射面Ｓ４Ｇおよび第５反射面Ｓ５Ｇをこの順に有している（図１１Ｃ）。第３透明層１７Ｇおよび第４透明層１８Ｇは、第２反射面Ｓ２Ｇを間にして緑色有機層１３Ｇに対向している。第３透明層１７Ｇおよび第４透明層１８Ｇは、第２反射面Ｓ２Ｇよりも、より発光中心ＯＧから遠い位置に配置されている。
【００８４】
赤色有機ＥＬ素子５０Ｒ、青色有機ＥＬ素子５０Ｂおよび緑色有機ＥＬ素子５０Ｇは、上記第１の実施の形態で説明した第１反射面Ｓ１Ｒ，Ｓ１Ｂ，Ｓ１Ｇ〜第３反射面Ｓ３Ｒ，Ｓ３Ｂ，Ｓ３Ｇに加えて、第４反射面Ｓ４Ｒ，Ｓ４Ｂ，Ｓ４Ｇおよび第５反射面Ｓ５Ｒ，Ｓ５Ｂ，Ｓ５Ｇを有している。
【００８５】
第４反射面Ｓ４Ｒは、第２反射面Ｓ２Ｒと第５反射面Ｓ５Ｒとの間に設けられ、例えば、第２透明層１６Ｒと第３透明層１７Ｒとの界面である。第４反射面Ｓ４Ｂは、第２反射面Ｓ２Ｂと第５反射面Ｓ５Ｂとの間に設けられ、例えば、第２透明層１６Ｂと第３透明層１７Ｂとの界面である。第４反射面Ｓ４Ｇは、第２反射面Ｓ２Ｇと第５反射面Ｓ５Ｇとの間に設けられ、例えば、第２透明層１６Ｇと第３透明層１７Ｇとの界面である。第４反射面Ｓ４Ｒ，Ｓ４Ｂ，Ｓ４Ｇは、第２透明層１６Ｒ，１６Ｂ，１６Ｇの構成材料と第３透明層１７Ｒ，１７Ｂ，１７Ｇの構成材料との屈折率差により形成されている。例えば、第２透明層１６Ｒ，１６Ｂ，１６Ｇを構成する窒化シリコン（ＳｉＮ）の屈折率は１．９５であり、第３透明層１７Ｒ，１７Ｂ，１７Ｇを構成する酸窒化シリコン（ＳｉＯＮ）の屈折率は１．６５である。第２透明層１６Ｒ，１６Ｂ，１６Ｇは、屈折率２．０のＩＺＯにより構成するようにしてもよい。
【００８６】
第４反射面Ｓ４Ｒは、発光中心ＯＲから光学距離Ｌ１４の位置に配置されている。第４反射面Ｓ４Ｂは、発光中心ＯＢから光学距離Ｌ２４の位置に配置されている。第４反射面Ｓ４Ｇは、発光中心ＯＧから光学距離Ｌ３４の位置に配置されている。第４反射面Ｓ４Ｒ，Ｓ４Ｂ，Ｓ４Ｇは、第２反射面Ｓ２Ｒ，Ｓ２Ｂ，Ｓ２Ｇから光学距離で４５０ｎｍ以下の位置に配置されていることが好ましい。第２反射面Ｓ２Ｒ，Ｓ２Ｂ，Ｓ２Ｇと第４反射面Ｓ４Ｒ，Ｓ４Ｂ，Ｓ４Ｇとの距離が大きいと共振器構造による効果が得られないためである。
【００８７】
第５反射面Ｓ５Ｒは、第４反射面Ｓ４Ｒを間にして第２反射面Ｓ２Ｒに対向している。この第５反射面Ｓ５Ｒは、例えば、第３透明層１７Ｒと第４透明層１８Ｒとの界面である。第５反射面Ｓ５Ｂは、第４反射面Ｓ４Ｂを間にして第２反射面Ｓ２Ｂに対向している。この第５反射面Ｓ５Ｂは、例えば、第３透明層１７Ｂと第４透明層１８Ｂとの界面である。第５反射面Ｓ５Ｇは、第４反射面Ｓ４Ｇを間にして第２反射面Ｓ２Ｇに対向している。この第５反射面Ｓ５Ｇは、例えば、第３透明層１７Ｇと第４透明層１８Ｇとの界面である。第５反射面Ｓ５Ｒ，Ｓ５Ｂ，Ｓ５Ｇは、第３透明層１７Ｒ，１７Ｂ，１７Ｇの構成材料と第４透明層１８Ｒ，１８Ｂ，１８Ｇの構成材料との屈折率差により形成されている。第３透明層１７Ｒ，１７Ｂ，１７Ｇを構成する酸窒化シリコン（ＳｉＯＮ）の屈折率は１．６５であり、第４透明層１８Ｒ，１８Ｂ，１８Ｇを構成する窒化シリコン（ＳｉＮ）の屈折率は１．９５である。
【００８８】
第５反射面Ｓ５Ｒは、発光中心ＯＲから光学距離Ｌ１５の位置に配置されている。第５反射面Ｓ５Ｂは、発光中心ＯＢから光学距離Ｌ２５の位置に配置されている。第５反射面Ｓ５Ｇは、発光中心ＯＧから光学距離Ｌ３５の位置に配置されている。第５反射面Ｓ５Ｒ，Ｓ５Ｂ，Ｓ５Ｇは、第２反射面Ｓ２Ｒ，Ｓ２Ｂ，Ｓ２Ｇから光学距離で３８０ｎｍ以下の位置に配置されていることが好ましい。第２反射面Ｓ２Ｒ，Ｓ２Ｂ，Ｓ２Ｇと第５反射面Ｓ５Ｒ，Ｓ５Ｂ，Ｓ５Ｇとの距離が大きいと共振器構造による効果が得られないためである。
【００８９】
第４反射面Ｓ４Ｒ，Ｓ４Ｂ，Ｓ４Ｇおよび第５反射面Ｓ５Ｒ，Ｓ５Ｂ，Ｓ５Ｇは、例えば厚み５ｎｍ以上の金属薄膜を積層させて形成するようにしてもよい。
【００９０】
本実施の形態の発光装置５では、光学距離Ｌ１４が、赤色発光層１３１Ｒの発光スペクトルの中心波長λ１の光を、第４反射面Ｓ４Ｒと発光中心ＯＲとの間における干渉によって弱め合うように設定されるとともに、光学距離Ｌ２４，Ｌ３４は、青色発光層１３１Ｂ，緑色発光層１３１Ｇの発光スペクトルの中心波長λ２，λ３の光を、第４反射面Ｓ４Ｂ，Ｓ４Ｇと発光中心ＯＢ，ＯＧとの間における干渉によって強め合うように設定されている。
【００９１】
また、光学距離Ｌ１５が、赤色発光層１３１Ｒの発光スペクトルの中心波長λ１の光を、第５反射面Ｓ５Ｒと発光中心ＯＲとの間における干渉によって弱め合うように設定されるとともに、光学距離Ｌ２５，Ｌ３５は、青色発光層１３１Ｂ，緑色発光層１３１Ｇの発光スペクトルの中心波長λ２，λ３の光を、第５反射面Ｓ５Ｂ，Ｓ５Ｇと発光中心ＯＢ，ＯＧとの間における干渉によって強め合うように設定されている。
【００９２】
具体的には、光学距離Ｌ１４，Ｌ２４，Ｌ３４，Ｌ１５，Ｌ２５，Ｌ３５は、以下の式（１７）〜（２４），（３８）〜（４１）を満たすように構成されている。
【００９３】
２Ｌ１４／λ１４+ａ４／（２π）＝ｍ４＋１/２・・・・・（１７）
２Ｌ１５／λ１５+ａ５／（２π）＝ｍ５＋１/２・・・・・（１８）
λ１−１５０＜λ１４＜λ１＋１５０・・・・・（１９）
λ１−１５０＜λ１５＜λ１＋１５０・・・・・（２０）
２Ｌ２４／λ２４+ｃ４／（２π）＝ｎ４・・・・・（２１）
２Ｌ２５／λ２５+ｃ５／（２π）＝ｎ５・・・・・（２２）
λ２−１５０＜λ２４＜λ２＋１５０・・・・・（２３）
λ２−１５０＜λ２５＜λ２＋１５０・・・・・（２４）
２Ｌ３４／λ３４+ｂ４／（２π）＝ｐ４・・・・・（３８）
２Ｌ３５／λ３５+ｂ５／（２π）＝ｐ５・・・・・（３９）
λ３−１５０＜λ３４＜λ３＋１５０・・・・・（４０）
λ３−１５０＜λ３５＜λ３＋１５０・・・・・（４１）
ただし、ｍ４、ｍ５、ｎ４、ｎ５、ｐ４、ｐ５：整数
λ１、λ２、λ３、λ１４、λ１５、λ２４、λ２５、λ３４およびλ３５の単位：ｎｍ
ａ４：赤色発光層１３１Ｒから出射された各波長の光が第４反射面Ｓ４Ｒで反射する際の位相変化
ａ５：赤色発光層１３１Ｒから出射された各波長の光が第５反射面Ｓ５Ｒで反射する際の位相変化
ｃ４：青色発光層１３１Ｂから出射された各波長の光が第４反射面Ｓ４Ｂで反射する際の位相変化
ｃ５：青色発光層１３１Ｂから出射された各波長の光が第５反射面Ｓ５Ｂで反射する際の位相変化
ｂ４：緑色発光層１３１Ｇから出射された各波長の光が第４反射面Ｓ４Ｇで反射する際の位相変化
ｂ５：緑色発光層１３１Ｇから出射された各波長の光が第５反射面Ｓ５Ｇで反射する際の位相変化
【００９４】
上記ａ４，ｃ４，ｂ４，ａ５，ｃ５，ｂ５は、ａ１，ｃ１，ｂ１と同様の方法で求めることができる。
【００９５】
このように発光装置５では、第４反射面Ｓ４Ｒ，Ｓ４Ｂ，Ｓ４Ｇおよび第５反射面Ｓ５Ｒ，Ｓ５Ｂ，Ｓ５Ｇでの反射条件を、赤色有機ＥＬ素子５０Ｒと青色有機ＥＬ素子５０Ｂ，緑色有機ＥＬ素子５０Ｇとで異ならせることができるので、発光素子（赤色有機ＥＬ素子５０Ｒ，青色有機ＥＬ素子５０Ｂ，緑色有機ＥＬ素子５０Ｇ）毎に、発光状態を調整することができる。詳細は後述するが、これにより、視野角特性を向上させることができる。
【００９６】
図１２に示したように、赤色有機ＥＬ素子５０Ｒでは、赤色発光層１３１Ｒから出射された光は、第１反射面Ｓ１Ｒと第５反射面Ｓ５Ｒとの間で多重反射され、第４透明層１８Ｒ側から赤色光ＬＲが取り出される。青色有機ＥＬ素子５０Ｂおよび緑色有機ＥＬ素子５０Ｇでも、同様の多重反射により、青色光ＬＢ，緑色光ＬＧが取り出される。
【００９７】
上記のように、共振器構造を有する発光装置では角度依存性が大きくなりやすい。特に、各発光層から出射される光のスペクトルによって、屈折率の波長分散が生じる場合には角度依存性を改善することが困難となる。屈折率の波長分散では、構成材料の屈折率が各波長によって異なるため、赤色有機ＥＬ素子，緑色有機ＥＬ素子，青色有機ＥＬ素子間で、共振器構造の効果に差異が生じる。例えば、赤色有機ＥＬ素子では、取り出される赤色光のピークが急峻になり過ぎ、青色有機ＥＬ素子では、取り出される青色光のピークがなだらかになり過ぎる。このように、素子毎に共振器構造の効果が大きく異なると、輝度および色相の角度依存性が大きくなる。
【００９８】
また、第２電極の厚みが大きくなると、素子間における共振器構造の効果の差がより大きくなりやすい。これは、第２電極の構成材料の屈折率および消衰係数が、第２電極の光学特性に大きな影響を及ぼしており、屈折率および消衰係数には波長依存性が存在するためである。
【００９９】
本実施の形態の発光装置５では、赤色発光層１３１Ｒで発生した光に対して、第４反射面Ｓ４Ｒおよび第５反射面Ｓ５Ｒが及ぼす影響と、青色発光層１３１Ｂ，緑色発光層１３１Ｇで発生した光に対して第４反射面Ｓ４Ｂ，Ｓ４Ｇおよび第５反射面Ｓ５Ｂ，Ｓ５Ｇが及ぼす影響とが互いに異なっている。具体的には、赤色発光層１３１Ｒで発生した光および青色発光層１３１Ｂ，緑色発光層１３１Ｇで発生した光は以下のようになる。
【０１００】
赤色発光層１３１Ｒで発生した光は、赤色発光層１３１Ｒの発光中心ＯＲと第４反射面Ｓ４Ｒおよび第５反射面Ｓ５Ｒとの間における干渉によって弱められる。一方、青色発光層１３１Ｂ，緑色発光層１３１Ｇで発生した光は、青色発光層１３１Ｂ，緑色発光層１３１Ｇの発光中心ＯＢ，ＯＧと第４反射面Ｓ４Ｂ，Ｓ４Ｇおよび第５反射面Ｓ５Ｂ，Ｓ５Ｇとの間における干渉によって強められる。
【０１０１】
これにより、赤色有機ＥＬ素子５０Ｒでは、ピーク近傍がなだらかなスペクトルを有する赤色光ＬＲが取り出され、青色有機ＥＬ素子５０Ｂ，緑色有機ＥＬ素子５０Ｇでは、急峻なピークのスペクトルを有する青色光ＬＢ，緑色光ＬＧが取り出される。したがって、赤色有機ＥＬ素子５０Ｒの共振器構造の効果と、青色有機ＥＬ素子５０Ｂ，緑色有機ＥＬ素子５０Ｇの共振器構造の効果との違いが小さくなり、輝度および色相の角度依存性が小さくなる。
【０１０２】
図１３は、比較例１，２に係る発光装置１００，５００の視野角特性とともに、発光装置５の視野角特性を表したものである。
【０１０３】
図１４に比較例２に係る発光装置５００の模式的な断面構成を表す。図１４には、赤色有機ＥＬ素子の断面構成を示すが、青色有機ＥＬ素子および緑色有機ＥＬ素子も、これと同様の構成を有している。発光装置５００は、第１電極１２、有機層（赤色有機層１３Ｒ）、第２電極（第２電極１５Ｒ）、第３透明層（第３透明層１７Ｒ）および第４透明層（第４透明層１８Ｒ）をこの順に有している。発光装置５００には、第１反射面（第１反射面Ｓ１Ｒ）、第２反射面（第２反射面Ｓ２Ｒ）、第４反射面（第４反射面Ｓ４Ｒ）および第５反射面（第５反射面Ｓ５Ｒ）がこの順に設けられている。即ち、発光装置５００には、第３反射面（図１１Ａの第３反射面Ｓ３Ｒ等）が設けられていない。
【０１０４】
図１３では、発光装置１００の視野角特性に比べて、発光装置５，５００の視野角特性が大きく改善されていることが確認できる。発光装置５００では、第２電極（第２電極１５Ｒ）が、例えば厚み１１ｎｍの銀（Ａｇ）により構成されている。この第２電極の厚みを例えば１３ｎｍにすると、視野角特性が悪化し、視野角６０°でΔｕ’ｖ’が０．０１０近くになる（図示せず）。一方、発光装置５では、第２電極１５Ｒ，１５Ｂ，１５Ｇを厚み１３ｎｍの銀（Ａｇ）により構成した場合にも、Δｕ’ｖ’＜０．００５となる（図１３）。即ち、より厚い（厚み１３ｎｍ）第２電極１５Ｒ，１５Ｂ，１５Ｇを有する発光装置５でも、厚み１１ｎｍの第２電極を有する発光装置５００と同程度の視野角特性が確保される。
【０１０５】
また、発光装置５は、有機層（赤色有機層１３Ｒ，青色有機層１３Ｂ，緑色有機層１３Ｇ）が印刷層である場合に好適である。有機層は、乾燥工程を経ることなどによって、素子毎に厚みの大小が生じやすい。即ち、有機層に膜厚分布が生じやすい。発光装置５では、この膜厚分布に起因した、素子領域毎の共振器構造の効果の違いを調整することができる。
【０１０６】
以上のように、本実施の形態の発光装置５では、赤色有機ＥＬ素子５０Ｒの第４反射面Ｓ４Ｒおよび第５反射面Ｓ５Ｒが、赤色発光層１３１Ｒで発生した光を弱め合うように設けられているのに対し、青色有機ＥＬ素子５０Ｂ，緑色有機ＥＬ素子５０Ｇの第４反射面Ｓ４Ｂ，Ｓ４Ｇおよび第５反射面Ｓ５Ｂ，Ｓ５Ｇが、青色発光層１３１Ｂ，緑色発光層１３１Ｇで発生した光を強めあうように設けられている。これにより、素子毎に、共振器構造の効果を調整することができるので、より視野角特性を向上させることが可能となる。また、第２電極１５Ｒ，１５Ｂ，１５Ｇの厚み大きくしても、視野角特性の低下が抑えられる。
【０１０７】
＜変形例３＞
図１５は、上記第２の実施の形態の変形例（変形例３）に係る赤色有機ＥＬ素子５０Ｒの断面構成を模式的に表したものである。この赤色有機ＥＬ素子５０Ｒは、第１反射面Ｓ１Ｒ〜第５反射面Ｓ５Ｒに加えて、第６反射面（第６反射面Ｓ６Ｒ）を有している。赤色有機ＥＬ素子５０Ｒは、例えば、第２電極１５Ｒと第２透明層１６Ｒとの間に、第５透明層（第５透明層１９Ｒ）を有している。
【０１０８】
第６反射面Ｓ６Ｒは、例えば、第２反射面Ｓ２Ｒと第４反射面Ｓ４Ｒとの間に設けられている。この第６反射面Ｓ６Ｒは、例えば第２電極１５Ｒと第５透明層１９Ｒとの界面であり、第２電極１５Ｒの構成材料と第５透明層１９Ｒの構成材料との屈折率差により形成されている。
【０１０９】
第６反射面Ｓ６Ｒは、第４反射面Ｓ４Ｒと第５反射面Ｓ５Ｒとの間に設けられていてもよい（図示せず）。あるいは、第６反射面Ｓ６Ｒは、第５反射面Ｓ５Ｒを間にして第４反射面Ｓ４Ｒと対向する位置に設けられていてもよい。このとき、第６反射面Ｓ６Ｒは、第２反射面Ｓ２Ｒから光学距離で１２００ｎｍ以下の位置に配置されていることが好ましい。第６反射面Ｓ６Ｒは、複数設けられていてもよい。
【０１１０】
第６反射面Ｓ６Ｒでの反射は、赤色発光層１３１Ｒの発光スペクトルの中心波長λ１に対して弱め合うように構成されていてもよく、あるいは、強め合うように構成されていてもよい。複数の第６反射面Ｓ６Ｒがあるとき、その全てが赤色発光層１３１Ｒの発光スペクトルの中心波長λ１に対して弱め合うように構成されていてもよく、あるいは、強め合うように構成されていてもよい。複数の第６反射面Ｓ６Ｒがあるとき、一部が赤色発光層１３１Ｒの発光スペクトルの中心波長λ１に対して弱め合うように構成され、他の一部が強め合うように構成されていてもよい。
【０１１１】
緑色有機ＥＬ素子５０Ｇおよび青色有機ＥＬ素子５０Ｂに、第６反射面が設けられていてもよい。
【０１１２】
第６反射面Ｓ６Ｒを設けることにより、より共振器構造の効果を細かく調整することが可能となる。
【０１１３】
＜適用例１＞
上記実施の形態等において説明した発光装置１，１Ａ，５は、例えば表示装置（後述の図１６の表示装置２）に適用することができる。視野角特性の高い発光装置１，１Ａ，５を表示装置に適用することにより、輝度および色相の角度依存性が小さくなり、高画質を実現可能となる。
【０１１４】
図１６は、発光装置１，１Ａ，５が適用される表示装置（表示装置２）の模式的な断面構成を表したものである。表示装置２は、アクティブマトリクス型の表示装置であり、駆動基板７１を有している。表示装置２は、この駆動基板７１と対向する封止基板７２を有し、駆動基板７１と封止基板７２との間に、赤色有機ＥＬ素子１０Ｒ（または赤色有機ＥＬ素子５０Ｒ），緑色有機ＥＬ素子１０Ｇ（または緑色有機ＥＬ素子５０Ｇ），青色有機ＥＬ素子１０Ｂ（または青色有機ＥＬ素子５０Ｂ）を有している。駆動基板７１および封止基板７２の外周部が封止剤７３により封止されている。表示装置２では、例えば封止基板７２側に画像が表示されるようになっている。表示装置２は、白黒表示であってもよく、カラー表示であってもよい。
【０１１５】
駆動基板７１は、画素毎に駆動素子としての薄膜トランジスタを有している。駆動基板７１は、薄膜トランジスタとともに、各薄膜トランジスタを駆動するための走査線、電流供給線およびデータ線を有している。各画素の薄膜トランジスタには表示画素毎に対応した表示信号が供給され、この表示信号に応じて画素が駆動され、画像が表示される。
【０１１６】
表示装置２には、図１７に示したように、カラーフィルタ層７４を設けるようにしてもよい。カラーフィルタ層７４は、例えば、封止基板の一方の面（駆動基板７１との対向面）に設けられている。カラーフィルタ層７４には、例えば赤色，緑色，青色の各色に対応したカラーフィルタが画素毎に設けられている。
【０１１７】
図１８は、表示装置２の機能ブロック構成を表すものである。
【０１１８】
表示装置２は、外部から入力された映像信号あるいは内部で生成した映像信号を、映像として表示するものであり、上述した有機ＥＬディスプレイの他にも、例えば液晶ディスプレイなどにも適用される。表示装置２は、例えばタイミング制御部２１と、信号処理部２２と、駆動部２３と、表示画素部２４とを備えている。
【０１１９】
タイミング制御部２１は、各種のタイミング信号（制御信号）を生成するタイミングジェネレータを有しており、これらの各種のタイミング信号を基に、信号処理部２２等の駆動制御を行うものである。信号処理部２２は、例えば、外部から入力されたデジタルの映像信号に対して所定の補正を行い、それにより得られた映像信号を駆動部２３に出力するものである。駆動部２３は、例えば走査線駆動回路および信号線駆動回路などを含んで構成され、各種制御線を介して表示画素部２４の各画素を駆動するものである。表示画素部２４は、有機ＥＬ素子（赤色有機ＥＬ素子１０Ｒ，緑色有機ＥＬ素子１０Ｇ，青色有機ＥＬ素子１０Ｂ等）と、有機ＥＬ素子を画素毎に駆動するための画素回路とを含んで構成されている。これらのうち、例えば、駆動部２３が駆動基板７１により構成されている。
【０１２０】
（電子機器の例）
表示装置２は、様々なタイプの電子機器に用いることができる。図１９に、電子機器３の機能ブロック構成を示す。電子機器３としては、例えばテレビジョン装置、パーソナルコンピュータ（ＰＣ）、スマートフォン、タブレット型ＰＣ、携帯電話機、デジタルスチルカメラおよびデジタルビデオカメラ等が挙げられる。
【０１２１】
電子機器３は、例えば上述の表示装置２と、インターフェース部３０とを有している。インターフェース部３０は、外部から各種の信号および電源等が入力される入力部である。このインターフェース部３０は、また、例えばタッチパネル、キーボードまたは操作ボタン等のユーザインターフェースを含んでいてもよい。
【０１２２】
＜適用例２＞
上記実施の形態等において説明した発光装置１，１Ａ，５は、例えば照明装置（後述の図２０の照明部４１０）に適用することができる。発光装置１，１Ａ，５は、卓上用もしくは床置き用の照明装置、または、室内用の照明装置など、あらゆる分野の照明装置の光源に適用することが可能である。
【０１２３】
図２０は、発光装置１，１Ａ，５が適用される室内用の照明装置の外観を表したものである。この照明装置は、例えば、有機ＥＬ素子（赤色有機ＥＬ素子１０Ｒ，緑色有機ＥＬ素子１０Ｇ，青色有機ＥＬ素子１０Ｂ等）を含んで構成された照明部４１０を有している。照明部４１０は、建造物の天井４２０に適宜の個数および間隔で配置されている。なお、照明部４１０は、用途に応じて、天井４２０に限らず、壁４３０または床（図示せず）など任意の場所に設置することが可能である。
【０１２４】
これらの照明装置では、視野角特性の高い発光装置１，１Ａ，５からの光により、照明が行われる。これにより、演色性に優れた照明を実現することができる。
【０１２５】
以上、実施の形態および適用例を挙げて説明したが、本開示は上記実施の形態等に限定されるものではなく、種々変形が可能である。例えば、上記実施の形態等で説明した数値、構造、形状、材料および作成方法等は、一例であり、これらと異なるものを用いるようにしてもよい。
【０１２６】
また、上記第２の実施の形態では、緑色有機ＥＬ素子５０Ｇが、青色有機ＥＬ素子５０Ｂと同様の共振器構造を有する場合について説明したが、緑色有機ＥＬ素子５０Ｇは、赤色有機ＥＬ素子５０Ｒと同様の共振器構造を有していてもよい。
【０１２７】
尚、本明細書中に記載された効果はあくまで例示であって限定されるものではなく、また、他の効果があってもよい。
【０１２８】
また、本開示は以下のような構成をとることも可能である。
（１）
第１反射面と、
前記第１反射面に対向する第２反射面と、
前記第１反射面と前記第２反射面との間に設けられ、波長λの光を出射する発光層と、
前記第２反射面に対向するとともに、前記第２反射面との距離がλ/4以内の位置に配置された第３反射面と
を備えた発光装置。
（２）
更に、異なる屈折率を有するとともに、互いに積層された低屈折率層および高屈折率層を有し、
前記第３反射面は、前記低屈折率層および前記高屈折率層の界面である
前記（１）に記載の発光装置。
（３）
前記発光層は、
第１発光層と、
前記第１発光層と異なる領域に設けられた第２発光層とを含み、
前記第１反射面と前記第１発光層の発光中心との光学距離をＬ１１、前記第１反射面と前記第２発光層の発光中心との光学距離をＬ２１、前記第２反射面と前記第１発光層の発光中心との光学距離をＬ１２、前記第２反射面と前記第２発光層の発光中心との光学距離をＬ２２、前記第１発光層の発光スペクトルの中心波長をλ１、前記第２発光層の発光スペクトルの中心波長をλ２としたとき、Ｌ１１、Ｌ２１、Ｌ１２およびＬ２２は以下の式（１）〜（８）を満たす
前記（１）または（２）に記載の発光装置。
２Ｌ１１／λ１１+ａ１／（２π）＝ｍ１（ただし、ｍ１≧０）・・・・・（１）
λ１−１５０＜λ１１＜λ１＋８０・・・・・（２）
２Ｌ２１／λ２１+ｃ１／（２π）＝ｎ１（ただし、ｎ１≧０）・・・・・（３）
λ２−１５０＜λ２１＜λ２＋８０・・・・・（４）
２Ｌ１２／λ１２+ａ２／（２π）＝ｍ２・・・・・（５）
λ１−８０＜λ１２＜λ１＋８０・・・・・（６）
２Ｌ２２／λ２２+ｃ２／（２π）＝ｎ２・・・・・（７）
λ２−８０＜λ２２＜λ２＋８０・・・・・（８）
ただし、ｍ１、ｎ１、ｍ２、ｎ２：整数
λ１、λ２、λ１１、λ２１、λ１２およびλ２２の単位：ｎｍ
ａ１：第１発光層から出射された各波長の光が第１反射面で反射する際の位相変化
ｃ１：第２発光層から出射された各波長の光が第１反射面で反射する際の位相変化
ａ２：第１発光層から出射された各波長の光が第２反射面で反射する際の位相変化
ｃ２：第２発光層から出射された各波長の光が第２反射面で反射する際の位相変化
（４）
前記第３反射面と前記第１発光層の発光中心との光学距離をＬ１３、前記第３反射面と前記第２発光層の発光中心との光学距離をＬ２３としたとき、Ｌ１３およびＬ２３は以下の式（９）〜（１２）を満たす
前記（３）に記載の発光装置。
２Ｌ１３／λ１３+ａ３／（２π）＝ｍ３＋１／２・・・・・（９）
λ１−１５０＜λ１３＜λ１＋１５０・・・・・（１０）
２Ｌ２３／λ２３+ｃ３／（２π）＝ｎ３＋１／２・・・・・（１１）
λ２−１５０＜λ２３＜λ２＋１５０・・・・・（１２）
ただし、ｍ３、ｎ３：整数
λ１、λ２、λ１３およびλ２３の単位：ｎｍ
ａ３：第１発光層から出射された各波長の光が第３反射面で反射する際の位相変化
ｃ３：第２発光層から出射された各波長の光が第３反射面で反射する際の位相変化
（５）
前記第３反射面と前記第１発光層の発光中心との光学距離をＬ１３、前記第３反射面と前記第２発光層の発光中心との光学距離をＬ２３としたとき、Ｌ１３およびＬ２３は以下の式（１３）〜（１６）を満たす
前記（３）に記載の発光装置。
２Ｌ１３／λ１３+ａ３／（２π）＝ｍ３・・・・・（１３）
λ１−１５０＜λ１３＜λ１＋１５０・・・・・（１４）
２Ｌ２３／λ２３+ｃ３／（２π）＝ｎ３・・・・・（１５）
λ２−１５０＜λ２３＜λ２＋１５０・・・・・（１６）
ただし、ｍ３、ｎ３：整数
λ１、λ２、λ１３およびλ２３の単位：ｎｍ
ａ３：第１発光層から出射された各波長の光が第３反射面で反射する際の位相変化
ｃ３：第２発光層から出射された各波長の光が第３反射面で反射する際の位相変化
（６）
更に、前記第１反射面と前記発光層との間に設けられた第１電極と、
前記発光層を間にして前記第１電極に対向する第２電極とを有する
前記（１）ないし（５）のうちいずれか１つに記載の発光装置。
（７）
更に、基板を含み、
前記基板に近い位置から順に、前記第１電極と、前記発光層と、前記第２電極とが設けられている
前記（６）に記載の発光装置。
（８）
更に、基板を含み、
前記基板に近い位置から順に、前記第２電極と、前記発光層と、前記第１電極とが設けられている
前記（６）に記載の発光装置。
（９）
更に、前記発光層を含む有機層を有する
前記（１）ないし（８）のうちいずれか１つに記載の発光装置。
（１０）
前記発光層は印刷層である
前記（９）に記載の発光装置。
（１１）
更に、前記有機層と前記第２反射面との間に設けられ、金属酸化物を含む高抵抗層を有し、
前記第３反射面は、前記有機層と前記高抵抗層との界面である
前記（９）または（１０）に記載の発光装置。
（１２）
更に、前記第２反射面を間にして前記発光層に対向する第４反射面と、
前記第４反射面を間にして前記第２反射面に対向する第５反射面とを有する
前記（３）ないし（５）のうちいずれか１つに記載の発光装置。
（１３）
前記第４反射面と前記第１発光層の発光中心との光学距離をＬ１４、前記第５反射面と前記第１発光層の発光中心との光学距離をＬ１５としたとき、Ｌ１４およびＬ１５は以下の式（１７）〜（２０）を満たす
前記（１２）に記載の発光装置。
２Ｌ１４／λ１４+ａ４／（２π）＝ｍ４＋１/２・・・・・（１７）
２Ｌ１５／λ１５+ａ５／（２π）＝ｍ５＋１/２・・・・・（１８）
λ１−１５０＜λ１４＜λ１＋１５０・・・・・（１９）
λ１−１５０＜λ１５＜λ１＋１５０・・・・・（２０）
ただし、ｍ４、ｍ５：整数
λ１、λ１４およびλ１５の単位：ｎｍ
ａ４：第１発光層から出射された各波長の光が第４反射面で反射する際の位相変化
ａ５：第１発光層から出射された各波長の光が第５反射面で反射する際の位相変化
（１４）
前記第４反射面と前記第２発光層の発光中心との光学距離をＬ２４、前記第５反射面と前記第２発光層の発光中心との光学距離をＬ２５としたとき、Ｌ２４およびＬ２５は以下の式（２１）〜（２４）を満たす
前記（１２）または（１３）に記載の発光装置。
２Ｌ２４／λ２４+ｃ４／（２π）＝ｎ４・・・・・（２１）
２Ｌ２５／λ２５+ｃ５／（２π）＝ｎ５・・・・・（２２）
λ２−１５０＜λ２４＜λ２＋１５０・・・・・（２３）
λ２−１５０＜λ２５＜λ２＋１５０・・・・・（２４）
ただし、ｎ４、ｎ５：整数
λ２、λ２４およびλ２５の単位：ｎｍ
ｃ４：第２発光層から出射された各波長の光が第４反射面で反射する際の位相変化
ｃ５：第２発光層から出射された各波長の光が第５反射面で反射する際の位相変化
（１５）
更に、前記第２反射面と前記第４反射面との間、前記第４反射面と前記第５反射面との間および、前記第５反射面を間にして前記第４反射面に対向する位置の少なくともいずれか１つに第６反射面を有する
前記（１２）ないし（１４）のうちいずれか１つに記載の発光装置。
【符号の説明】
【０１２９】
１，１Ａ，５…発光装置、２…表示装置、３…電子機器、１０Ｒ，１０ＲＡ，５０Ｒ…赤色有機ＥＬ素子、１０Ｇ，５０Ｇ…緑色有機ＥＬ素子、１０Ｂ，５０Ｂ…青色有機ＥＬ素子、１１…基板、１２…第１電極、１３Ｒ…赤色有機層、１３Ｇ…緑色有機層、１３Ｂ…青色有機層、１３１Ｒ…赤色発光層、１３１Ｇ…緑色発光層、１３１Ｂ…青色発光層、１４Ｒ，１４Ｇ，１４Ｂ…第１透明層、１５Ｒ，１５Ｇ，１５Ｂ…第２電極、１６Ｒ，１６Ｇ，１６Ｂ…第２透明層、１７Ｒ，１７Ｇ，１７Ｂ…第３透明層、１８Ｒ，１８Ｇ，１８Ｂ…第４透明層、１９Ｒ…第５透明層、２１…タイミング制御部、２２…信号処理部、２３…駆動部、２４…表示画素部、３０…インターフェース部、７１…駆動基板、７２…封止基板、７３…封止剤、７４…カラーフィルタ層、Ｓ１Ｒ，Ｓ１Ｂ，Ｓ１Ｇ…第１反射面、Ｓ２Ｒ，Ｓ２Ｂ，Ｓ２Ｇ…第２反射面、Ｓ３Ｒ，Ｓ３Ｂ，Ｓ３Ｇ…第３反射面、Ｓ４Ｒ，Ｓ４Ｂ，Ｓ４Ｇ…第４反射面、Ｓ５Ｒ，Ｓ５Ｂ，Ｓ５Ｇ…第５反射面、Ｓ６Ｒ…第６反射面。
【図１】
2019079624.tif 000003
【図２Ａ】
2019079624.tif 000004
【図２Ｂ】
2019079624.tif 000005
【図２Ｃ】
2019079624.tif 000006
【図３】
2019079624.tif 000007
【図４】
2019079624.tif 000008
【図５】
2019079624.tif 000009
【図６】
2019079624.tif 000010
【図７Ａ】
2019079624.tif 000011
【図７Ｂ】
2019079624.tif 000012
【図８】
2019079624.tif 000013
【図９】
2019079624.tif 000014
【図１０】
2019079624.tif 000015
【図１１Ａ】
2019079624.tif 000016
【図１１Ｂ】
2019079624.tif 000017
【図１１Ｃ】
2019079624.tif 000018
【図１２】
2019079624.tif 000019
【図１３】
2019079624.tif 000020
【図１４】
2019079624.tif 000021
【図１５】
2019079624.tif 000022
【図１６】
2019079624.tif 000023
【図１７】
2019079624.tif 000024
【図１８】
2019079624.tif 000025
【図１９】
2019079624.tif 000026
【図２０】
2019079624.tif 000027